(57)【要約】      （修正有）【課題】ゲーム装置などを車内で安全に使用することを可能にすることで、家族全員が車両室内で楽しむことができる車両用ダッシュボードを提供する。【解決手段】車両用の計器盤を組み込む機器装着盤１を設ける。機器装着盤１に市販の家庭用ゲーム機が収まる寸法に形成されたゲーム装着枠２を開口形成する。機器装着盤１にモニターを組み込むモニター装着枠３を開口形成する。ゲーム装着枠２は、複数の家庭用ゲーム機に対応する複数のゲーム装着枠２Ａ、２Ｂとする。カーオーディオ機器、カーナビゲーションシステム等の車両用機器を組み込む機器装着枠４、５を開口形成する。機器装着盤１の下部から略水平に突出した台盤６を機器装着盤１と一体に構成する。【選択図】図１
0003158670.tif 000002
【実用新案登録請求の範囲】
【請求項１】
車両の室内に装着するダッシュボードであって、車両用の計器盤を組み込む機器装着盤を設け、該機器装着盤に、市販の家庭用ゲーム機が収まる寸法に形成されたゲーム装着枠と、モニターを組み込むモニター装着枠とを開口形成したことを特徴とする車両用ダッシュボード。
【請求項２】
前記機器装着盤において、前記ゲーム装着枠は、複数の家庭用ゲーム機に対応する複数のゲーム装着枠とし、該ゲーム装着枠の周囲に、カーオーディオ機器、カーナビゲーションシステム等の車両用機器を組み込む機器装着枠を開口形成した請求項１記載の車両用ダッシュボード。
【請求項３】
前記機器装着盤の下部から略水平に突出し、前記家庭用ゲーム機のコントローラーを載置する台盤を機器装着盤と一体に構成した請求項１又は２記載の車両用ダッシュボード。
【考案の詳細な説明】
【技術分野】
【０００１】
本考案は車両用ダッシュボードに係り、車両室内でゲームなどを楽しむことができるようにした車両用ダッシュボードに関する。
【背景技術】
【０００２】
車両用ダッシュボードにおいて、そのトレイ上に載置されているものに容易に手が届くようにしたものが特許文献１に記載されている。このダッシュボードでは、特に走行中において、運転者がダッシュボード上の物を取ろうとしたときに、注意が散漫するのを防止するようにしたものである。
【０００３】
また、特許文献２には、車載用オーディオ機器と連携したアミューズメント装置が記載されている。この装置は、自動車の走行状態に合わせ、または自動車を運転しつつ、記録媒体に記録したデータやプログラムを使用することにより、種々のアミューズメント機能を実行するように構成した装置である。
【先行技術文献】
【特許文献】
【０００４】
【特許文献１】特許第３６７７４９３号公報
【特許文献２】特許第４２７５６０２号公報
【考案の概要】
【考案が解決しようとする課題】
【０００５】
特許文献１に記載されたダッシュボードは、走行時の安全対策として提案されており、このダッシュボードは、移動手段として用いる室内の安全性を高めるものである。
【０００６】
ところが、車両の室内は移動手段としての利用以外に、別の機能を有する空間としても利用可能である。例えば、特許文献２のごとく、アミューズメント機能を備えることで、車両の室内で、ゲームセンタ等の遊技場におけるゲーム機と同じように遊ぶことが可能になる。
【０００７】
しかしながら、特許文献２のアミューズメント装置は、ゲームやカラオケなど各種の機能を備えているために、アミューズメント装置全体を制御するためのコンピュータや、記録媒体に記録されたデータまたはプログラムを読み出すデータ読出装置、あるいは、当該データ読出装置からのデータまたはプログラムを記録しておくメモリなどを使用して、車両に装着可能なアミューズメント装置を製作する必要があった。
【０００８】
そのため、使用者は、このアミューズメント装置の提供に莫大なコストが掛かることになる。しかも、アミューズメント装置が予め備えている機能で楽しむことはできても、ゲーム機等を市販の中から自由に選択して車内で安全に使用することはできない。
【０００９】
また、車両の一日の使用状況は、一般に走行時間よりも駐車時間のほうがはるかに長いことが多く、この駐車時間内の車両は、全く利用されていないのが現状である。
【００１０】
そこで、本考案は上述の課題を解決し、特殊な装置を装備するのではなく、市販のゲーム装置などを車内で安全に使用することを可能にすることで、家族全員が車両室内で楽しむことができる車両用ダッシュボードの提供を目的とするものである。
【課題を解決するための手段】
【００１１】
本考案の第１の手段は、車両の室内に装着するダッシュボードであって、車両用の計器盤１０を組み込む機器装着盤１を設け、該機器装着盤１に、市販の家庭用ゲーム機２０が収まる寸法に形成されたゲーム装着枠２と、モニター３０を組み込むモニター装着枠３とを開口形成したことにある。
【００１２】
第２の手段は、前記機器装着盤１において、前記ゲーム装着枠２は、複数の家庭用ゲーム機２０、２１に対応する複数のゲーム装着枠２Ａ、２Ｂとし、該ゲーム装着枠２の周囲に、カーオーディオ機器４０、カーナビゲーションシステム５０等の車両用機器を組み込む機器装着枠４、５を開口形成している。
【００１３】
第３の手段は、前記機器装着盤１の下部から略水平に突出し、前記家庭用ゲーム機２０のコントローラーを載置する台盤６を機器装着盤１と一体に構成したことを課題解決のための手段とする。
【考案の効果】
【００１４】
本考案の請求項１の如く、機器装着盤１に、市販の家庭用ゲーム機２０が収まる寸法に形成されたゲーム装着枠２と、モニター３０を組み込むモニター装着枠３とを開口形成したことにより、特殊な装置を装備しなくても、市販の家庭用ゲーム機２０を車内で安全に使用することが可能になった。しかも、本考案ダッシュボードを使用することにより、これまで利用されていなかった駐車時の車両を有効活用することができる。
【００１５】
また、請求項２の如く、ゲーム装着枠２は、複数の家庭用ゲーム機２０、２１に対応する複数のゲーム装着枠２Ａ、２Ｂとしたことで、ゲーム機等を市販の中から自由に選択して車内で安全に使用することができる。
【００１６】
更に、請求項３によると、家庭用ゲーム機２０のコントローラーを載置する台盤６を機器装着盤１と一体に構成しているので、各種の家庭用ゲーム機２０に対応した使用が可能になる。
【図面の簡単な説明】
【００１７】
【図１】本考案の一実施例を示す斜視図である。
【図２】本考案の使用状態を示す正面図である。
【考案を実施するための形態】
【００１８】
このように、本考案によると、特殊な装置を装備するのではなく、市販のゲーム装置などを車内で安全に使用することを可能にし、家族全員が車両室内で楽しむことができるといった当初の目的を実現した。
【実施例】
【００１９】
本考案ダッシュボードは、車両の室内に装着するダッシュボードに家庭用ゲーム機２０等を装着するもので、機器装着盤１と台盤６とで構成される（図１参照）。
【００２０】
機器装着盤１は、車両用の計器盤１０を組み込む部材で、所定の計器盤１０の寸法に対応した計器装着枠９が開口形成され、この計器装着枠９に計器盤１０を装着する。また、この計器盤１０と共に、家庭用ゲーム機２０やモニター３０、カーオーディオ機器４０などの各種装置を組み込む枠が開口形成されている（図２参照）。
【００２１】
ゲーム装着枠２は、機器装着盤１に、市販の家庭用ゲーム機２０が収まる寸法に形成されている。この家庭用ゲーム機２０は、複数メーカーの家庭用ゲーム機２０、２１に対応する複数のゲーム装着枠２Ａ、２Ｂとして形成している。したがって、機器装着盤１のゲーム装着枠２は、使用が予定される家庭用ゲーム機２０の寸法を予め調査しておき、この寸法に合わせて形成するものである。
【００２２】
モニター装着枠３は、モニター３０を組み込むサイズに形成されている。モニター３０は、車載用モニターとする他、ワンセグＴＶやカーナビゲーションシステム５０のモニターを利用することも可能である。
【００２３】
機器装着枠４、５は、カーオーディオ機器４０やカーナビゲーションシステム５０等の車両用機器を組み込む枠である。これらの車両用機器は、既存のダッシュボードにも形成されているが、本考案では、ゲーム装着枠２の周囲に併設されている。
【００２４】
台盤６は、機器装着盤１の下部から略水平に突出し、前記家庭用ゲーム機２０のコントローラーを載置する部材であり、機器装着盤１と一体に形成されている（図１参照）。この台盤６は、コントローラーを使用しない場合、通常の載置台として利用することができるものである。図中、符号６Ａは、ハンドル軸を挿入せしめるハンドル孔であり、符号７、８は、各種スイッチ類を装着するスイッチ枠である。
【産業上の利用可能性】
【００２５】
本考案ダッシュボードは、計器盤１０など必要な機器を装着しておき、他の機器は、使用者の選択に応じて装着することができる。また、全ての機器を予め組み込んでおくことも可能である。また、本考案ダッシュボードは、乗用車、トラック等車両の種類を問わない。更に、ガソリン車、ハイブリッド、電気自動車など、各種の車両に使用することができる。一方、各構成は、図示例に限定されるものではなく、機器装着盤１や台盤６の形状や構造は任意に変更できるものである。
【符号の説明】
【００２６】
１  機器装着盤
２  ゲーム装着枠
２Ａ  ゲーム装着枠
２Ｂ  ゲーム装着枠
３  モニター装着枠
４  機器装着枠
５  機器装着枠
６  台盤
６Ａ  ハンドル孔
７  スイッチ枠
８  スイッチ枠
９  計器装着枠
１０  計器盤
２０  家庭用ゲーム機
２１  家庭用ゲーム機
３０  モニター
４０  カーオーディオ機器
５０  カーナビゲーションシステム
６０  スイッチ枠
【図１】
0003158670.tif 000003
【図２】
0003158670.tif 000004
【手続補正書】
【提出日】平成22年2月4日(2010.2.4)
【手続補正１】
【補正対象書類名】実用新案登録請求の範囲
【補正対象項目名】請求項１
【補正方法】変更
【補正の内容】
【請求項１】
車両の室内に装着するダッシュボードであって、車両用の計器盤を組み込む機器装着盤を設け、該機器装着盤に、家庭用ゲーム機が収まる寸法に形成されたゲーム装着枠と、モニターを組み込むモニター装着枠とを開口形成したことを特徴とする車両用ダッシュボード。